(57)【要約】記録再生装置（１）は、記録媒体（１００）から読み取られた読取信号（ＲＲＦ）のうち長マークに対応する読取信号に生ずる波形歪みを補正する補正手段（１８）と、波形歪みが補正された読取信号に対して、ＰＲＭＬ（Partial Response Maximum Likelihood）処理を施す処理手段（１５）とを備える。
2008068853.tif 000002
【特許請求の範囲】
【請求項１】
記録媒体から読み取られた読取信号のうち少なくとも長マークに対応する読取信号に生ずる波形歪みを補正する補正手段と、
前記波形歪みが補正された前記読取信号に対して、ＰＲＭＬ（Partial Response Maximum Likelihood）処理を施す処理手段と
を備えることを特徴とする情報再生装置。
【請求項２】
前記補正手段は、信号レベルが増加する方向に向かって前記波形歪みが生じている場合、前記読取信号のうち、リファレンスレベル以下の信号成分であって且つ前記ＰＲＭＬ処理におけるパスメトリック選択を誤らせない範囲の信号成分を補正することにより、前記波形歪みを補正することを特徴とする請求の範囲第１項に記載の情報再生装置。
【請求項３】
前記補正手段は、信号レベルが減少する方向に向かって前記波形歪みが生じている場合、前記読取信号のうち、リファレンスレベル以上の信号成分であって且つ前記ＰＲＭＬ処理におけるパスメトリック選択を誤らせない範囲の信号成分を補正することにより、前記波形歪みを補正することを特徴とする請求の範囲第１項に記載の情報再生装置。
【請求項４】
前記処理手段が、ＰＲ（Ｃ１、Ｃ２１、Ｃ２２、・・・、Ｃ２ｋ、Ｃ１）方式を採用している場合、前記補正手段は、第１のリファレンスクロス点から（ｋ＋１）／２つ後に出現するサンプル値と、前記第１のリファレンスクロス点の次に位置する第２のリファレンスクロス点の（ｋ＋１）／２つ前に出現するサンプル値との間の信号成分を補正することにより、前記波形歪みを補正することを特徴とする請求の範囲第１項に記載の情報再生装置。
【請求項５】
前記処理手段が、ＰＲ（１、２、１）方式を採用している場合、前記補正手段は、第１のリファレンスクロス点から１つ後ろに出現するサンプル値と、前記第１のリファレンスクロス点の次に位置する第２のリファレンスクロス点の１つ前に出現するサンプル値との間の信号成分を補正することにより、前記波形歪みを補正することを特徴とする請求の範囲第１項に記載の情報再生装置。
【請求項６】
前記処理手段が、ＰＲ（１、２、２、１）方式を採用している場合、前記補正手段は、第１のリファレンスクロス点から２つ後ろに出現するサンプル値と、前記第１のリファレンスクロス点の次に位置する第２のリファレンスクロス点の２つ前に出現するサンプル値との間の信号成分を補正することにより、前記波形歪みを補正することを特徴とする請求の範囲第１項に記載の情報再生装置。
【請求項７】
前記処理手段が、ＰＲ（１、２、２、２、１）方式を採用している場合、前記補正手段は、第１のリファレンスクロス点から２つ後ろに出現するサンプル値と、前記第１のリファレンスクロス点の次に位置する第２のリファレンスクロス点の２つ前に出現するサンプル値との間の信号成分を補正することにより、前記波形歪みを補正することを特徴とする請求の範囲第１項に記載の情報再生装置。
【請求項８】
前記処理手段が、ＰＲ（１、２、２、２、２、１）方式を採用している場合、前記補正手段は、第１のリファレンスクロス点から３つ後ろに出現するサンプル値と、前記第１のリファレンスクロス点の次に位置する第２のリファレンスクロス点の３つ前に出現するサンプル値との間の信号成分を補正することにより、前記波形歪みを補正することを特徴とする請求の範囲第１項に記載の情報再生装置。
【請求項９】
前記補正手段は、信号レベルが増加する方向に向かって前記波形歪みが生じている場合、前記波形歪みの信号レベルを、前記ＰＲＭＬ処理における予測最小値に補正することを特徴とする請求の範囲第１項に記載の情報再生装置。
【請求項１０】
前記補正手段は、信号レベルが減少する方向に向かって前記波形歪みが生じている場合、前記波形歪みの信号レベルを、前記ＰＲＭＬ処理における予測最大値に補正することを特徴とする請求の範囲第１項に記載の情報再生装置。
【請求項１１】
前記波形歪みを検出する検出手段を更に備え、
前記補正手段は、前記検出手段により前記波形歪みが検出された場合に、前記波形歪みを補正することを特徴とする請求の範囲第１項に記載の情報再生装置。
【請求項１２】
前記補正手段は、(i)前記読取信号のエラー訂正が不能である場合、(ii)前記読取信号のエラーレートが所定の閾値以上である場合、又は(iii)記録データに含まれるユーザデータを読み取るために用いられ且つ前記記録データに含まれる同期データに相当する読取信号を読み取ることができない場合に、前記波形歪みを補正することを特徴とする請求の範囲第１項に記載の情報再生装置。
【請求項１３】
前記補正手段は、記録データに含まれるユーザデータを読み取るために用いられ且つ前記記録データに含まれる同期データに相当する前記読取信号に生ずる前記波形歪みを補正することを特徴とする請求の範囲第１項に記載の情報再生装置。
【請求項１４】
前記補正手段は、前記読取信号のうち前記同期データを構成するマークと対をなすスペースの前、該スペースの後、及び該スペースを基点として前記同期データの周期性を満たす位置の少なくとも一つにおいて、前記波形歪みを補正することを特徴とする請求の範囲第１３項に記載の情報再生装置。
【請求項１５】
前記長マークは、信号レベルが最大振幅となるマークであることを特徴とする請求の範囲第１項に記載の情報再生装置。
【請求項１６】
前記処理手段は、
前記読取信号に含まれる区域周波数成分を抑制できるような意図的な波形干渉を基準に、該読取信号をパーシャルレスポンス（Partial Response）等化する等化手段と、
前記等化手段の出力に対し、最も確からしい系列を推定する最尤（Maximum Likelihood）復号手段と
を備えることを特徴とする請求の範囲第１項に記載の情報再生装置。
【請求項１７】
記録媒体から読み取られた読取信号のうち少なくとも長マークに対応する読取信号に生ずる波形歪みを補正する補正工程と、
前記波形歪みが補正された前記読取信号に対して、ＰＲＭＬ（Partial Response Maximum Likelihood）処理を施す処理工程と
を備えることを特徴とする情報再生方法。
【請求項１８】
記録媒体から読み取られた読取信号のうち少なくとも長マークに対応する読取信号に生ずる波形歪みを補正する補正手段と、前記波形歪みが補正された前記読取信号に対して、ＰＲＭＬ（Partial Response Maximum Likelihood）処理を施す処理手段とを備える情報再生装置に備えられたコンピュータを制御する再生制御用のコンピュータプログラムであって、
該コンピュータを、前記補正手段及び前記処理手段の少なくとも一部として機能させることを特徴とする再生制御用のコンピュータプログラム。
【発明の詳細な説明】
【技術分野】
【０００１】
本発明は、例えば記録媒体に記録された記録データの再生を行う情報再生装置及び方法であって、特に記録媒体に記録された記録データを読み取ることで得られる読取信号に対してＰＲＭＬ処理等の波形等化を行う情報再生装置及び方法、並びにコンピュータをこのような情報再生装置として機能させるコンピュータプログラムの技術分野に関する。
【背景技術】
【０００２】
記録データが高密度記録されている記録媒体から読み取られた読取信号の再生品質を向上させるため、特許文献１によれば、線記録方向の記録密度の増大に伴って高域成分の振幅が劣化し、Ｓ／Ｎ比が増大する再生系において、パーシャルレスポンス方式を適用して、意図的に波形干渉を付加することにより高域成分を必要としない再生系を実現し、且つ波形干渉を考慮した確率計算により最も確からしい系列を推定する最尤復号法を適用する技術（いわゆるＰＲＭＬ処理に関する技術）が開示されている。【０００３】
【特許文献１】特開第２００５−９３０３３号公報
【発明の開示】
【発明が解決しようとする課題】
【０００４】
ここで、読取信号には波形歪みが生じ得る。波形歪みとは、本来とるべき信号レベルと実際に読取信号に現れた信号レベルとの間にずれが生じている状態を示す。このような波形歪みによって、再生品質が悪化してしまうおそれがある。このため、例えばランレングスが相対的に長いマークを他のマークと誤判別してしまう不都合につながりかねない。具体的には、例えば、ランレングスが８Ｔのマークを、ランレングスが４Ｔのマークと、ランレングスが２Ｔのスペースと、ランレングスが２Ｔのマークとして誤判別してしまう不都合につながりかねない。【０００５】
本発明は、例えば上述した従来の問題点に鑑みなされたものであり、例えば波形歪みが生じている場合においても好適に記録データを再生することができる情報再生装置及び方法、並びにコンピュータプログラムを提供することを課題とする。
【課題を解決するための手段】
【０００６】
上記課題を解決するために、本発明の情報再生装置は、記録媒体から読み取られた読取信号のうち少なくとも長マークに対応する読取信号に生ずる波形歪みを補正する補正手段と、前記波形歪みが補正された前記読取信号に対して、ＰＲＭＬ（Partial Response Maximum Likelihood）処理を施す処理手段とを備える。【０００７】
上記課題を解決するために、本発明の情報再生方法は、記録媒体から読み取られた読取信号のうち少なくとも長マークに対応する読取信号に生ずる波形歪みを補正する補正工程と、前記波形歪みが補正された前記読取信号に対して、ＰＲＭＬ（Partial Response Maximum Likelihood）処理を施す処理工程とを備える。【０００８】
上記課題を解決するために、本発明のコンピュータプログラムは、記録媒体から読み取られた読取信号のうち少なくとも長マークに対応する読取信号に生ずる波形歪みを補正する補正手段と、前記波形歪みが補正された前記読取信号に対して、ＰＲＭＬ（Partial Response Maximum Likelihood）処理を施す処理手段とを備える情報再生装置に備えられたコンピュータを制御する再生制御用のコンピュータプログラムであって、該コンピュータを、前記補正手段及び前記処理手段の少なくとも一部として機能させる。【０００９】
本発明の作用及び他の利得は次に説明する実施の形態から明らかにされよう。
【図面の簡単な説明】
【００１０】
【図１】本実施例に係る情報再生装置の基本構成を概念的に示すブロック図である。
【図２】波形歪みの第１の例を概念的に示す波形図である。
【図３】波形歪みの第２の例を概念的に示す波形図である。
【図４】波形歪みの補正動作の流れを概念的に示すフローチャートである。
【図５】ＰＲＭＬ信号処理回路がＰＲ（１、２、１）方式を採用している場合の、波形歪みの補正動作を、サンプル値系列ＲＳＣ上で概念的に示す波形図である。
【図６】ＰＲＭＬ信号処理回路がＰＲ（１、２、２、１）方式を採用している場合の、波形歪みの補正動作を、サンプル値系列ＲＳＣ上で概念的に示す波形図である。
【図７】ＰＲＭＬ信号処理回路がＰＲ（１、２、２、２、１）方式を採用している場合の、波形歪みの補正動作を、サンプル値系列ＲＳＣ上で概念的に示す波形図である。
【図８】ＰＲＭＬ信号処理回路がＰＲ（１、２、２、２、２、１）方式を採用している場合の、波形歪みの補正動作を、サンプル値系列ＲＳＣ上で概念的に示す波形図である。
【図９】波形歪みの補正前後における読取信号の波形等を概念的に示す波形図である。
【図１０】第１変形例に係る情報再生装置が備える波形歪み補正回路の構成を概念的に示すブロック図である。
【図１１】第１変形例に係る情報再生装置が備える波形歪み補正回路が備える波形歪み検出回路の構成を概念的に示すブロック図である。
【図１２】第１変形例に係る情報再生装置による動作の流れを概念的に示すフローチャートである。
【図１３】第２変形例に係る情報再生装置による波形歪みの補正動作を、第１の読取信号上で概念的に示すタイミングチャートである。
【図１４】第２変形例に係る情報再生装置による波形歪みの補正動作を、第２の読取信号上で概念的に示すタイミングチャートである。
【図１５】第２変形例に係る情報再生装置による第１の動作の流れを概念的に示すフローチャートである。
【図１６】第２変形例に係る情報再生装置による第２の動作の流れを概念的に示すフローチャートである。
【図１７】第２変形例に係る情報再生装置による第３の動作の流れを概念的に示すフローチャートである。
【図１８】ＰＲ（１、２、２、１）方式における状態遷移図及び該状態遷移図を時間軸方向に展開したトレリス線図である。
【図１９】ＰＲ（１、２、２、１）方式を採用している場合において、第１のゼロクロス点の２つ後ろに位置するサンプル値と、第２のゼロクロス点の２つ前に位置するサンプル値との間の範囲に含まれるサンプル値を対象に行った波形歪みの補正動作を、サンプル値系列上で概念的に示す波形図である。
【図２０】ＰＲ（１、２、２、１）方式を採用している場合において、第１のゼロクロス点の１つ後ろに位置するサンプル値と、第２のゼロクロス点の１つ前に位置するサンプル値との間の範囲に含まれるサンプル値を対象に行った波形歪みの補正動作を、サンプル値系列上で概念的に示す波形図である。
【図２１】再生専用型の光ディスクの記録面上のマークの様子を模式的に示す平面図である。
【符号の説明】
【００１１】
１、２  情報再生装置
１０  スピンドルモータ
１１  ピックアップ
１２  ＨＰＦ
１３  Ａ／Ｄ変換器
１４  プリイコライザ
１５  ＰＲＭＬ信号処理回路
１７  復号回路
１８  波形歪み補正回路
１８１  遅延調整回路
１８２  歪み補正値検出回路
１８３  マーク／スペース長検出回路
１８４  タイミング生成回路
１８５  セレクタ
１８６  波形歪み検出回路
【発明を実施するための最良の形態】
【００１２】
以下、発明を実施するための最良の形態として、本発明の情報再生装置及び方法、並びにコンピュータプログラムに係る実施形態の説明を進める。【００１３】
（情報再生装置の実施形態）
本発明の情報再生装置に係る実施形態は、記録媒体から読み取られた読取信号のうち少なくとも長マークに対応する読取信号に生ずる波形歪みを補正する補正手段と、前記波形歪みが補正された前記読取信号に対して、ＰＲＭＬ（Partial Response Maximum Likelihood）処理を施す処理手段とを備える。【００１４】
本発明の情報再生装置に係る実施形態によれば、補正手段の動作により、少なくとも長マーク（例えば、記録媒体がＤＶＤであればランレングス７Ｔから１１Ｔ及び１４Ｔのマークであり記録媒体がＢｌｕ−ｒａｙ  Ｄｉｓｃであればランレングス６Ｔから９Ｔのマーク）に対応する読取信号に生ずる波形歪みが補正される。ここでは、波形歪みが後述のＰＲＭＬ処理に悪影響を与えなくなるように、波形歪みが（より具体的には、例えば波形歪みの信号レベル等）が補正されることが好ましい。【００１５】
その後、処理手段の動作により、波形歪みが補正された読取信号（以下、適宜“歪み補正信号”と称する）に対してＰＲＭＬ処理が施される。尚、ＰＲＭＬ処理については、上述した特許文献１等に記載されているため、その詳細な説明については省略する。【００１６】
このように、ＰＲＭＬ処理が施される前に、読取信号に生ずる波形歪みが補正されるため、記録媒体から読み取られた読取信号に波形歪みが生じていたとしても、該波形歪みがＰＲＭＬ処理に悪影響を与えることは殆ど或いは全くなくなる。より具体的には、例えば、長マークを他のマークと誤判別してしまう不都合を好適に防止することができる。これにより、波形歪みが発生している読取信号に対しても、ＰＲＭＬ処理を好適に施すことができ、その結果、好適に記録データを再生することができる。【００１７】
本発明の情報再生装置に係る実施形態の一の態様は、前記補正手段は、信号レベルが増加する方向に向かって前記波形歪みが生じている場合（言い換えれば、波形歪みの信号レベルが、本来取るべき信号レベルよりも大きい）、前記読取信号のうち、リファレンスレベル以下の信号成分であって且つ前記ＰＲＭＬ処理におけるパスメトリック選択を誤らせない範囲の信号成分を補正することにより、前記波形歪みを補正する。【００１８】
この態様によれば、このような信号成分を補正することで、ＰＲＭＬ処理に悪影響を与えることなく、波形歪みを好適に補正することができる。【００１９】
尚、本実施形態における「リファレンスクロス点」とは、読取信号の信号レベルがリファレンスレベルと交わる点を示す。リファレンスレベルがゼロレベルである場合には、リファレンスクロス点は、ゼロクロス点に相当する。【００２０】
本発明の情報再生装置に係る実施形態の他の態様は、前記補正手段は、信号レベルが減少する方向に向かって前記波形歪みが生じている場合（言い換えれば、波形歪みの信号レベルが、本来取るべき信号レベルよりも小さい）、前記読取信号のうち、リファレンスレベル以上の信号成分であって且つ前記ＰＲＭＬ処理におけるパスメトリック選択を誤らせない範囲の信号成分を補正することにより、前記波形歪みを補正する。【００２１】
この態様によれば、このような信号成分を補正することで、ＰＲＭＬ処理に悪影響を与えることなく、波形歪みを好適に補正することができる。【００２２】
本発明の情報再生装置に係る実施形態の他の態様は、前記処理手段が、ＰＲ（Ｃ１、Ｃ２１、Ｃ２２、・・・、Ｃ２ｋ、Ｃ１）方式を採用している場合、前記補正手段は、第１のリファレンスクロス点から（ｋ＋１）／２つ後に出現するサンプル値と、前記第１のリファレンスクロス点の次に位置する第２のリファレンスクロス点の（ｋ＋１）／２つ前に出現するサンプル値との間の信号成分を補正することにより、前記波形歪みを補正する。【００２３】
この態様によれば、このような信号成分を補正することで、ＰＲＭＬ処理に悪影響を与えることなく、波形歪みを好適に補正することができる。【００２４】
本発明の情報再生装置に係る実施形態の他の態様は、前記処理手段が、ＰＲ（１、２、１）方式を採用している場合、前記補正手段は、第１のリファレンスクロス点から１つ後ろに出現するサンプル値と、前記第１のリファレンスクロス点の次に位置する第２のリファレンスクロス点の１つ前に出現するサンプル値との間の信号成分を補正することにより、前記波形歪みを補正する。【００２５】
この態様によれば、このような信号成分を補正することで、ＰＲ（１、２、１）方式を採用しているＰＲＭＬ処理に悪影響を与えることなく、波形歪みを好適に補正することができる。【００２６】
本発明の情報再生装置に係る実施形態の他の態様は、前記処理手段が、ＰＲ（１、２、２、１）方式を採用している場合、前記補正手段は、第１のリファレンスクロス点から２つ後ろに出現するサンプル値と、前記第１のリファレンスクロス点の次に位置する第２のリファレンスクロス点の２つ前に出現するサンプル値との間の信号成分を補正することにより、前記波形歪みを補正する。【００２７】
この態様によれば、このような信号成分を補正することで、ＰＲ（１、２、２、１）方式を採用しているＰＲＭＬ処理に悪影響を与えることなく、波形歪みを好適に補正することができる。【００２８】
本発明の情報再生装置に係る実施形態の他の態様は、前記処理手段が、ＰＲ（１、２、２、２、１）方式を採用している場合、前記補正手段は、第１のリファレンスクロス点から２つ後ろに出現するサンプル値と、前記第１のリファレンスクロス点の次に位置する第２のリファレンスクロス点の２つ前に出現するサンプル値との間の信号成分を補正することにより、前記波形歪みを補正する。【００２９】
この態様によれば、このような信号成分を補正することで、ＰＲ（１、２、２、２、１）方式を採用しているＰＲＭＬ処理に悪影響を与えることなく、波形歪みを好適に補正することができる。【００３０】
本発明の情報再生装置に係る実施形態の他の態様は、前記処理手段が、ＰＲ（１、２、２、２、２、１）方式を採用している場合、前記補正手段は、第１のリファレンスクロス点から３つ後ろに出現するサンプル値と、前記第１のリファレンスクロス点の次に位置する第２のリファレンスクロス点の３つ前に出現するサンプル値との間の信号成分を補正することにより、前記波形歪みを補正する。【００３１】
この態様によれば、このような信号成分を補正することで、ＰＲ（１、２、２、２、２、１）方式を採用しているＰＲＭＬ処理に悪影響を与えることなく、波形歪みを好適に補正することができる。【００３２】
本発明の情報再生装置に係る実施形態の他の態様は、前記補正手段は、信号レベルが増加する方向に向かって前記波形歪みが生じている場合、前記波形歪みの信号レベルを、前記ＰＲＭＬ処理における予測最小値に補正する。【００３３】
この態様によれば、波形歪みの信号レベルを好適な信号レベルに補正することができる。つまり、波形歪みを好適に補正することができる。【００３４】
本発明の情報再生装置に係る実施形態の他の態様は、前記補正手段は、信号レベルが減少する方向に向かって前記波形歪みが生じている場合、前記波形歪みの信号レベルを、前記ＰＲＭＬ処理における予測最大値に補正する。【００３５】
この態様によれば、波形歪みの信号レベルを好適な信号レベルに補正することができる。つまり、波形歪みを好適に補正することができる。【００３６】
本発明の情報再生装置に係る実施形態の他の態様は、前記波形歪みを検出する検出手段を更に備え、前記補正手段は、前記検出手段により前記波形歪みが検出された場合に、前記波形歪みを補正する。【００３７】
この態様によれば、波形歪みが検出された場合に、選択的に波形歪みが補正される。従って、情報再生装置の負荷を低減させつつ、上述した各種効果を享受することができる。【００３８】
本発明の情報再生装置に係る実施形態の他の態様は、前記補正手段は、(i)前記読取信号のエラー訂正（より具体的には、読取信号から得られる記録データのエラー訂正）が不能である場合、(ii)前記読取信号のエラーレート（より具体的には、読取信号から得られる記録データの読取エラーレート）が所定の閾値以上である場合、又は(iii)記録データに含まれるユーザデータを読み取るために用いられ且つ前記記録データに含まれる同期データに相当する読取信号を読み取ることができない場合に、前記波形歪みを補正する。【００３９】
この態様によれば、このような場合に選択的に波形歪みを補正することで、情報再生装置の負荷を低減させつつ、上述した各種効果を享受することができる。【００４０】
特に、シーケンシャル記録のみが許可されている記録媒体とは異なって、ランダム記録が許可されている記録媒体においては、様々な記録状態が混在している。この場合、波形歪みが不連続にないしは離散的に分布したり或いはしていなかったりする読取信号を読み取ったり、大小様々な信号レベルを有する読み取り信号を読み取る必要がある。従って、通常は波形歪みを補正することなく記録データを再生し、上述した場合に選択的に波形歪みを補正しながら記録データを再生することで、情報再生装置の負荷を低減させつつ、上述した各種効果を享受することができる。【００４１】
本発明の情報再生装置に係る実施形態の他の態様では、前記補正手段は、記録データに含まれるユーザデータを読み取るために用いられ且つ前記記録データに含まれる同期データに相当する前記読取信号に生ずる前記波形歪みを補正する。【００４２】
この態様によれば、記録データを再生する際に重要な同期データに相当する読取信号は少なくとも確実に読み取ることができるため、記録データを好適に再生することができる。【００４３】
上述の如く同期データに相当する読み取り信号に生ずる波形歪みを補正する情報再生装置の態様では、前記補正手段は、前記読取信号のうち前記同期データを構成するマークと対をなすスペースの前、該スペースの後、及び該スペースを基点として前記同期データの周期性を満たす位置の少なくとも一つにおいて、前記波形歪みを補正するように構成してもよい。具体的には、例えば記録媒体がＢｌｕ−ｒａｙ  Ｄｉｓｃであれば、同期データを構成するランレングスが９Ｔのマークと対をなすランレングスが９Ｔのスペースを検出し、該ランレングスが９Ｔのスペースの前後の少なくとも一方において、波形歪みを補正するように構成してもよい。或いは、同期データの周期性に着目し、ランレングスが９Ｔのスペースから、１９３２Ｔに相当する時間が経過した時点付近において、波形歪みを補正するように構成してもよい。或いは、例えば記録媒体がＤＶＤであれば、同期データの周期性に着目し、ランレングスが１４Ｔのスペースから、１４８８Ｔに相当する時間が経過した時点付近において、波形歪みを補正するように構成してもよい。【００４４】
このように構成すれば、同期データが出現する周期性に着目して、比較的容易に同期データに相当する読み取り信号の波形歪みを補正することができる。【００４５】
本発明の情報再生装置に係る実施形態の他の態様は、前記長マークは、信号レベルが最大振幅となるマークである。【００４６】
この態様によれば、このような長マークに対応する読取信号に生ずる波形歪みを好適に補正することができる。【００４７】
本発明の情報再生装置に係る実施形態の他の態様は、前記処理手段は、前記読取信号に含まれる区域周波数成分を抑制できるような意図的な波形干渉を基準に、該読取信号をパーシャルレスポンス（Partial Response）等化する等化手段と、前記等化手段の出力に対し、最も確からしい系列を推定する最尤（Maximum Likelihood）復号手段とを備える。【００４８】
この態様によれば、等化手段及び最尤復号手段の動作により、波形歪みが補正された読取信号に対してＰＲＭＬ処理を好適に施すことができる。【００４９】
（情報再生方法の実施形態）
本発明の情報再生方法に係る実施形態は、記録媒体から読み取られた読取信号のうち少なくとも長マークに対応する読取信号に生ずる波形歪みを補正する補正工程と、前記波形歪みが補正された前記読取信号に対して、ＰＲＭＬ（Partial Response Maximum Likelihood）処理を施す処理工程とを備える。【００５０】
本発明の情報再生方法に係る実施形態によれば、上述した本発明の情報再生装置に係る実施形態が享受することができる各種効果と同様の効果を享受することができる。【００５１】
尚、上述した本発明の情報再生装置に係る実施形態における各種態様に対応して、本発明の情報再生方法に係る実施形態も各種態様を採ることが可能である。【００５２】
（コンピュータプログラムの実施形態）
本発明のコンピュータプログラムに係る実施形態は、記録媒体から読み取られた読取信号のうち少なくとも長マークに対応する読取信号に生ずる波形歪みを補正する補正手段と、前記波形歪みが補正された前記読取信号に対して、ＰＲＭＬ（Partial Response Maximum Likelihood）処理を施す処理手段とを備える情報再生装置（即ち、上述した本発明の情報再生装置に係る実施形態（但し、その各種態様を含む））に備えられたコンピュータを制御する再生制御用のコンピュータプログラムであって、該コンピュータを、前記補正手段及び前記処理手段の少なくとも一部として機能させる。【００５３】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置に係る実施形態を比較的簡単に実現できる。【００５４】
尚、上述した本発明の情報再生装置に係る実施形態における各種態様に対応して、本発明のコンピュータプログラムに係る実施形態も各種態様を採ることが可能である。【００５５】
本発明のコンピュータプログラム製品に係る実施形態は、記録媒体から読み取られた読取信号のうち少なくとも長マークに対応する読取信号に生ずる波形歪みを補正する補正手段と、前記波形歪みが補正された前記読取信号に対して、ＰＲＭＬ（Partial Response Maximum Likelihood）処理を施す処理手段とを備える情報再生装置（即ち、上述した本発明の情報再生装置に係る実施形態（但し、その各種態様を含む））に備えられたコンピュータにより実行可能なプログラム命令を明白に具現化し、該コンピュータを、前記補正手段及び前記処理手段のうち少なくとも一部として機能させる。【００５６】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報再生装置に係る実施形態を比較的容易に実施可能となる。更に具体的には、当該コンピュータプログラム製品は、上述した本発明の情報再生装置に係る実施形態として機能させるコンピュータ読取可能なコード（或いはコンピュータ読取可能な命令）から構成されてよい。【００５７】
尚、上述した本発明の情報再生装置に係る実施形態における各種態様に対応して、本発明のコンピュータプログラム製品に係る実施形態も各種態様を採ることが可能である。【００５８】
本実施形態のこのような作用及び他の利得は次に説明する実施例から更に明らかにされよう。【００５９】
以上説明したように、本発明の情報再生装置に係る実施形態によれば、補正手段と、処理手段とを備える。本発明の情報再生方法に係る実施形態によれば、補正工程と、処理工程とを備える。本発明のコンピュータプログラムに係る実施形態によれば、コンピュータを本発明の情報再生装置に係る実施形態として機能させる。従って、波形歪みが生じている場合においても好適にデータを再生することができる。
【実施例】
【００６０】
以下、本発明の実施例を図面に基づいて説明する。【００６１】
（１）  基本構成
初めに、図１を参照して、本発明の情報再生装置に係る実施例について説明を進める。ここに、図１は、本実施例に係る情報再生装置の基本構成を概念的に示すブロック図である。【００６２】
図１に示すように、本実施例に係る情報再生装置１は、スピンドルモータ１０と、ピックアップ（ＰＵ：Pick Up）１１と、ＨＰＦ（High Pass Filter）１２と、Ａ／Ｄ変換器１３と、プリイコライザ（Pre Equalizer）１４と、ＰＲＭＬ信号処理回路１５と、復号回路１７と、波形歪み補正回路１８とを備えている。【００６３】
ピックアップ１１は、スピンドルモータ１０によって回転する光ディスク１００の記録面にレーザ光ＬＢを照射した際の反射光を光電変換して読取信号ＲＲＦを生成する。【００６４】
ＨＰＦ１２は、ピックアップより出力される読取信号ＲＲＦの低域成分を除去し、その結果得られる読取信号ＲＨＣをＡ／Ｄ変換器１３へ出力する。【００６５】
Ａ／Ｄ変換器１３は、不図示のＰＬＬ（Phased Lock Loop）等から出力されるサンプリングクロックに応じて読取信号をサンプリングし、その結果得られる読取サンプル値系列ＲＳをプリイコライザ１４へ出力する。【００６６】
プリイコライザ１４は、ピックアップ１１及び光ディスク１００から構成される情報読取系の伝送特性に基づく符号間干渉を除去し、その結果得られる読取サンプル値系列ＲＳＣを波形歪み補正回路１８へ出力する。【００６７】
波形歪み補正回路１８は、本発明における「補正手段」の一具体例を構成しており、読取サンプル値系列ＲＳＣに生じている波形歪み（つまり、読取信号ＲＲＦに生じている波形歪み）を補正する。その結果得られる、歪み補正読取サンプル値系列ＲＳＣＡＭは、ＰＲＭＬ信号処理回路１５へ出力される。【００６８】
ＰＲＭＬ信号処理回路１５は、歪み補正読取サンプル値系列ＲＳＣＡＭに対してＰＲＭＬ処理を施し、その結果得られる２値化信号を、復号回路１７へ出力する。【００６９】
尚、ＰＲＭＬ信号処理回路１５は、ＦＩＲ（Finite Impulse Response）フィルタやトランスバーサルフィルタ等に代表されるＰＲ（Partial Response：パーシャルレスポンス）等化回路１５１と、ビタビ復号器等に代表される最尤復号回路１５２とを備えている。ＰＲ等化回路１５１は、歪み補正読取サンプル値系列ＲＳＣＡＭに対して、高域雑音の抑制と意図的な符号間干渉を付加するためのパーシャルレスポンス等化処理を施す。最尤復号回路１５２は、パーシャルレスポンス等化処理が施された歪み補正読取サンプル値系列ＲＳＣＡＭに対して、付加された符号的規則に基づいて尤も確からしい系列を推定することで、２値化信号を生成する。このようなＰＲＭＬ処理については、従来のＰＲＭＬ処理を用いることができるため、その詳細な説明については省略する。【００７０】
復号回路１７は、２値化信号に対して復号処理等を行い、その結果得られる再生信号を、ディスプレイやスピーカ等の外部再生機器へ出力する。その結果、光ディスク１００に記録されたデータ（例えば、映像データや音声データ等）が再生される。【００７１】
本実施例に係る情報再生装置１では特に、波形歪みを補正した後に、ＰＲＭＬ信号処理回路１５において、ＰＲＭＬ処理が行われる。以下、波形歪み補正の具体例について、詳細に説明を進める。【００７２】
（２）波形歪み
初めに、図２及び図３を参照して、波形歪みについて説明する。ここに、図２は、波形歪みの第１の例を概念的に示す波形図であり、図３は、波形歪みの第２の例を概念的に示す波形図である。【００７３】
図２（ａ）に示すように、波形歪みは、本来とるべき信号レベルと実際に読取信号ＲＲＦに現れた信号レベルとの差を示す。この波形歪みは、読取信号ＲＲＦの最大振幅Ａに対する歪み量Ｄ及びゼロレベルから波形歪みの頂点までの信号レベルである波形歪み量Ｄ’で定量的に定義される。図２（ａ）において、太い点線は、波形歪みが発生していないときに本来とるべき信号レベルを示している。波形歪みが発生していない場合には、当然に波形歪み量Ｄはゼロである。【００７４】
尚、図２（ａ）に示す波形歪みは、読取信号ＲＲＦの前端部及び後端部の信号レベルと比較して、中間部の信号レベルが変化してしまった波形歪みを示している。このような波形歪み以外にも、図２（ｂ）に示すように、読取信号ＲＲＦの後端部の信号レベルと比較して、前端部及び中間部の信号レベルが変化してしまった波形歪みや、図２（ｃ）に示すように、読取信号ＲＲＦの前端部の信号レベルと比較して、中間部及び後端部の信号レベルが変化してしまった波形歪みも存在しえる。いずれの波形歪みを対象としていても、後述する構成及び動作を採用することができることは言うまでもない。【００７５】
また、図２（ａ）から図２（ｃ）においては、マークを形成することによって、レーザ光ＬＢの反射率が減少する光ディスク１００に生ずる波形歪みについて説明した。つまり、ゼロレベル以下の信号レベルにおいて、信号レベルが意図せず増加するような波形歪みが発生する例について説明した。しかしながら、図３（ａ）に示すように、例えば色素膜を記録層として用いたＢｌｕ−ｒａｙ  Ｄｉｓｃ等の光ディスクのように、データを記録することによって、レーザ光ＬＢの反射率が増加する光ディスク（いわゆる、Ｌｏｗ  ｔｏ  Ｈｉｇｈディスク）１００に生ずる波形歪みも存在し得る。つまり、ゼロレベル以上の信号レベルにおいて、信号レベルが意図せず減少するような波形歪みも発生し得る。尚、ゼロレベル以上の信号レベルにおいて、信号レベルが意図せず減少するような波形歪みが発生する場合においても、ゼロレベル以上の信号レベルにおいて、図２（ｂ）において示した信号レベルが意図せず減少するような波形歪みが発生する場合と同様に、図３（ｂ）に示すように、読取信号ＲＲＦの後端部の信号レベルと比較して、前端部及び中間部の信号レベルが変化してしまった波形歪みが存在し得る。また、図２（ｃ）において示した信号レベルが意図せず減少するような波形歪みが発生する場合と同様に、図３（ｃ）に示すように、読取信号ＲＲＦの前端部の信号レベルと比較して、中間部及び後端部の信号レベルが変化してしまった波形歪みも存在し得る。【００７６】
また、本実施例においては、ランレングスが相対的に長いマーク（以降、適宜“長マーク”と称し、例えば、光ディスク１００がＤＶＤであればランレングス７Ｔから１１Ｔ又は１４Ｔのデータであり、光ディスク１００がＢｌｕ−ｒａｙ  Ｄｉｓｃであればランレングス６Ｔから９Ｔのデータ）に対応する読取信号に発生する波形歪みに着目することが好ましい。或いは、同期データ（つまり、ｓｙｎｃデータ）の重要性を考慮すれば、同期データに対応するマーク（例えば、光ディスク１００がＤＶＤであればランレングス１４Ｔのデータであり、光ディスク１００がＢｌｕ−ｒａｙ  Ｄｉｓｃであればランレングス９Ｔのデータ）に対応する読取信号に発生する波形歪みに着目することが好ましい。【００７７】
（３）波形歪みの補正動作例
続いて、図４を参照して、波形歪みの具体的な補正動作例について説明する。ここに、図４は、波形歪みの補正動作の流れを概念的に示すフローチャートである。【００７８】
図４に示すように、まず、光ディスク１００に記録されたデータの再生動作が行われる（ステップＳ１０１）。【００７９】
再生動作の際には、シンボルエラーレート（ＳＥＲ：Symbol Error Rate）が所定閾値以上であるか否か、例えばＥＣＣ（Error Correction Code）等を用いたエラー訂正が不可能であるか否か、又は同期データが読取不可能であるか否かが逐次判定される（ステップＳ１０２）。ここでは、好適な再生動作が行われているか否かに基づいて、所定閾値が設定されることが好ましい。具体的には、好適な再生動作が行われなくなるシンボルエラーレートの値（例えば、概ね０．００１以上）を所定閾値として設定することが好ましい。【００８０】
ステップＳ１０２における判定の結果、シンボルエラーレートが所定閾値以上でない、且つエラー訂正が不可能でない、且つ同期データが読取不可能でないと判定された場合には（ステップＳ１０２：Ｎｏ）、ステップＳ１０７へ進む。【００８１】
他方、ステップＳ１０２における判定の結果、シンボルエラーレートが所定閾値以上である、エラー訂正が不可能である、又は同期データが読取不可能であると判定された場合には（ステップＳ１０２：Ｙｅｓ）、続いて、長マークの波形歪みが測定される（ステップＳ１０３）。ここでは、例えば、読取信号ＲＲＦの最大振幅Ａに対する波形歪み量Ｄ（又はＤ’）の比率を示す波形歪み率（つまり、Ｄ／Ａ×１００）が測定される。【００８２】
その後、波形歪みが所定値以上であるか否かが判定される（ステップＳ１０４）。例えば、波形歪み率が概ね３０％以上であるか否かが判定される。【００８３】
ステップＳ１０４における判定の結果、波形歪みが所定値以上でない（例えば、波形歪み率が概ね３０％以下である）と判定された場合には（ステップＳ１０４：Ｎｏ）、ステップＳ１０７へ進む。【００８４】
他方、ステップＳ１０４における判定の結果、波形歪みが所定値以上である（例えば、波形歪み率が概ね３０％以上である）と判定された場合には（ステップＳ１０４：Ｙｅｓ）、続いて、波形歪みの補正レベルや補正範囲等の波形歪み補正条件が設定される（ステップＳ１０５）。波形歪み補正条件については、後に詳述する（図５等参照）。【００８５】
その後、ステップＳ１０５において設定された波形歪み補正条件に基づいて、長マークの波形歪みが補正される（ステップＳ１０６）。尚、波形歪みの補正動作は、後に詳述するように、ＰＲＭＬ信号処理回路１５において施されるＰＲＭＬ処理におけるパスメトリック演算に悪影響を与えないように行われる必要がある。【００８６】
その後、再生動作を終了するか否かが判定され（ステップＳ１０７）、再生動作を終了しない場合には（ステップＳ１０７：Ｎｏ）、ステップＳ１０１へ戻り、再度ステップＳ１０１以降の動作が繰り返される。【００８７】
このような波形歪みの補正動作を、図５から図８を参照して、サンプル値系列ＲＳＣを示す波形図上でより明確に説明する。ここに、図５は、ＰＲＭＬ信号処理回路１５がＰＲ（１、２、１）方式を採用している場合の、波形歪みの補正動作を、サンプル値系列ＲＳＣ上で概念的に示す波形図であり、図６は、ＰＲＭＬ信号処理回路１５がＰＲ（１、２、２、１）方式を採用している場合の、波形歪みの補正動作を、サンプル値系列ＲＳＣ上で概念的に示す波形図であり、図７は、ＰＲＭＬ信号処理回路１５がＰＲ（１、２、２、２、１）方式を採用している場合の、波形歪みの補正動作を、サンプル値系列ＲＳＣ上で概念的に示す波形図であり、図８は、ＰＲＭＬ信号処理回路１５がＰＲ（１、２、２、２、２、１）方式を採用している場合の、波形歪みの補正動作を、サンプル値系列ＲＳＣ上で概念的に示す波形図である。【００８８】
図５に示すように、ＰＲＭＬ信号処理回路１５がＰＲ（１、２、１）方式を採用している場合には、パーシャルレスポンス等化後の補間サンプル値が、Ｒｅｆ＿Ｈ、Ｒｅｆ＿Ｌ、０（ＺＬ：Ｚｅｒｏ  Ｌｅｖｅｌ）、−Ｒｅｆ＿Ｌ及び−Ｒｅｆ＿Ｈの５値に分かれる（但し、最短マーク／スペースが２Ｔ以上のランレングス制約がある場合、０を除く４値に分かれる）。ここで、補間サンプル値Ｓｉｐ（ｋ）は、−Ｒｅｆ＿Ｈとなるのが正しい（つまり、尤も確からしい）。このため、ＰＲＭＬ処理におけるパスメトリック演算に影響を与えないように波形歪みを補正するためには、第１のゼロクロス点Ｓ（ｋ−１．５）の１つ後ろに位置するサンプル値であるサンプル値Ｓ（ｋ−０．５）と、第１のゼロクロス点Ｓ（ｋ−１．５）の次に位置する第２のゼロクロス点Ｓ（ｋ＋６．５）の１つ前に位置するサンプル値であるサンプル値Ｓ（ｋ＋５．５）との間の範囲において、波形歪みの補正動作を行うことが好ましい。そして、補正後の信号レベルが、ＰＲＭＬ処理における予測最小値（つまり、−Ｒｅｆ＿Ｈ）となるように、波形歪みの補正動作を行うことが好ましい。まとめると、ＰＲＭＬ信号処理回路１５がＰＲ（１、２、１）方式を採用している場合には、第１のゼロクロス点Ｓ（ｋ−１．５）の１つ後ろに位置するサンプル値Ｓ（ｋ−０．５）と、第２のゼロクロス点Ｓ（ｋ＋６．５）の１つ前に位置するサンプル値Ｓ（ｋ＋５．５）との間の範囲に含まれるサンプル値（つまり、Ｓ（ｋ−０．５）、Ｓ（ｋ＋０．５）、Ｓ（ｋ＋１．５）、Ｓ（ｋ＋２．５）、Ｓ（ｋ＋３．５）、Ｓ（ｋ＋４．５）及びＳ（ｋ＋５．５））の信号レベルが、ＰＲＭＬ処理における予測最小値（つまり、−Ｒｅｆ＿Ｈ）となるように、波形歪みの補正動作を行うことが好ましい。【００８９】
図６に示すように、ＰＲＭＬ信号処理回路１５がＰＲ（１、２、２、１）方式を採用している場合には、パーシャルレスポンス等化後のサンプル値が、Ｒｅｆ＿Ｈ、Ｒｅｆ＿Ｍ、Ｒｅｆ＿Ｌ、０（ＺＬ：Ｚｅｒｏ  Ｌｅｖｅｌ）、−Ｒｅｆ＿Ｌ、−Ｒｅｆ＿Ｍ及び−Ｒｅｆ＿Ｈの７値に分かれる。ここで、ＰＲＭＬ信号処理回路１５がＰＲ（１、２、１）方式を採用している場合と同様に、第１のゼロクロス点Ｓ（ｋ−１）の１つ後ろに位置するサンプル値Ｓ（ｋ）の信号レベルを予測最小値（−Ｒｅｆ＿Ｈ）に補正してしまうと、ＰＲＭＬ処理のパスメトリック演算に悪影響を与えることになってしまう。同様に、第２のゼロクロス点Ｓ（ｋ＋７）の１つ前に位置するサンプル値Ｓ（ｋ＋６）の信号レベルを予測最小値（−Ｒｅｆ＿Ｈ）に補正してしまうと、ＰＲＭＬ処理のパスメトリック演算に悪影響を与えることになってしまう。従って、ＰＲＭＬ信号処理回路１５がＰＲ（１、２、２、１）方式を採用している場合には、第１のゼロクロス点Ｓ（ｋ−１）の２つ後ろに位置するサンプル値Ｓ（ｋ＋１）と、第２のゼロクロス点Ｓ（ｋ＋７）の２つ前に位置するサンプル値Ｓ（ｋ＋５）との間の範囲に含まれるサンプル値（つまり、Ｓ（ｋ＋１）、Ｓ（ｋ＋２）、Ｓ（ｋ＋３）、Ｓ（ｋ＋４）及びＳ（ｋ＋５））の信号レベルが、ＰＲＭＬ処理における予測最小値（つまり、−Ｒｅｆ＿Ｈ）となるように、波形歪みの補正動作を行うことが好ましい。【００９０】
図７に示すように、ＰＲＭＬ信号処理回路１５がＰＲ（１、２、２、２、１）方式を採用している場合には、パーシャルレスポンス等化後の補間サンプル値が、Ｒｅｆ＿Ｈ、Ｒｅｆ＿ＭＨ、Ｒｅｆ＿ＭＬ、Ｒｅｆ＿Ｌ、０（ＺＬ：Ｚｅｒｏ  Ｌｅｖｅｌ）、−Ｒｅｆ＿Ｌ、−Ｒｅｆ＿ＭＬ、−Ｒｅｆ＿ＭＨ及び−Ｒｅｆ＿Ｈの９値に分かれる。ここで、ＰＲＭＬ信号処理回路１５がＰＲ（１、２、２、１）方式を採用している場合と同様に、第１のゼロクロス点Ｓ（ｋ−１）の２つ後ろに位置するサンプル値Ｓ（ｋ＋１）の信号レベルを予測最小値（−Ｒｅｆ＿Ｈ）に補正したとしても、ＰＲＭＬ処理のパスメトリック演算に悪影響を与えることはない。同様に、第２のゼロクロス点Ｓ（ｋ＋７）の２つ前に位置するサンプル値Ｓ（ｋ＋５）の信号レベルを予測最小値（−Ｒｅｆ＿Ｈ）に補正したとしても、ＰＲＭＬ処理のパスメトリック演算に悪影響を与えることはない。従って、ＰＲＭＬ信号処理回路１５がＰＲ（１、２、２、２、１）方式を採用している場合には、第１のゼロクロス点Ｓ（ｋ−１）の２つ後ろに位置するサンプル値Ｓ（ｋ＋１）と、第２のゼロクロス点Ｓ（ｋ＋７）の２つ前に位置するサンプル値Ｓ（ｋ＋５）との間の範囲に含まれるサンプル値（つまり、Ｓ（ｋ＋１）、Ｓ（ｋ＋２）、Ｓ（ｋ＋３）、Ｓ（ｋ＋４）及びＳ（ｋ＋５））の信号レベルが、ＰＲＭＬ処理における予測最小値（つまり、−Ｒｅｆ＿Ｈ）となるように、波形歪みの補正動作を行うことが好ましい。【００９１】
図８に示すように、ＰＲＭＬ信号処理回路１５がＰＲ（１、２、２、２、２、１）方式を採用している場合には、パーシャルレスポンス等化後のサンプル値が、Ｒｅｆ＿Ｈ、Ｒｅｆ＿ＭＨ、Ｒｅｆ＿ＭＭ、Ｒｅｆ＿ＭＬ、Ｒｅｆ＿Ｌ、０（ＺＬ：Ｚｅｒｏ  Ｌｅｖｅｌ）、−Ｒｅｆ＿Ｌ、−Ｒｅｆ＿ＭＬ、−Ｒｅｆ＿ＭＭ、−Ｒｅｆ＿ＭＨ及び−Ｒｅｆ＿Ｈの１１値に分かれる。ここで、ＰＲＭＬ信号処理回路１５がＰＲ（１、２、２、２、１）方式を採用している場合と同様に、第１のゼロクロス点Ｓ（ｋ−１）の２つ後ろに位置するサンプル値Ｓ（ｋ＋１）の信号レベルを予測最小値（−Ｒｅｆ＿Ｈ）に補正してしまうと、ＰＲＭＬ処理のパスメトリック演算に悪影響を与えることになってしまう。同様に、第２のゼロクロス点Ｓ（ｋ＋７）の２つ前に位置するサンプル値Ｓ（ｋ＋５）の信号レベルを予測最小値（−Ｒｅｆ＿Ｈ）に補正してしまうと、ＰＲＭＬ処理のパスメトリック演算に悪影響を与えることになってしまう。従って、ＰＲＭＬ信号処理回路１５がＰＲ（１、２、２、２、２、１）方式を採用している場合には、第１のゼロクロス点Ｓ（ｋ−１）の３つ後ろに位置するサンプル値Ｓ（ｋ＋２）と、第２のゼロクロス点Ｓ（ｋ＋７）の３つ前に位置するサンプル値Ｓ（ｋ＋４）との間の範囲に含まれるサンプル値（つまり、Ｓ（ｋ＋２）、Ｓ（ｋ＋３）及びＳ（ｋ＋４））の信号レベルが、ＰＲＭＬ処理における予測最小値（つまり、−Ｒｅｆ＿Ｈ）となるように、波形歪みの補正動作を行うことが好ましい。【００９２】
以上まとめると、以下のような関係を見出すことができる。ＰＲＭＬ信号処理回路１５がＰＲ（１、２、・・・、２、１）方式（但し、２がｍ個続く）を採用している場合には、第１のゼロクロス点の（ｍ＋１）／２つ後ろに位置するサンプル値と、第２のゼロクロス点の（ｍ＋１）／２つ前に位置するサンプル値との間の範囲に含まれるサンプル値の信号レベルが、ＰＲＭＬ処理における予測最小値となるように、波形歪みの補正動作を行うことが好ましい。【００９３】
尚、図４のステップＳ１０５において設定される波形歪み補正条件は、図５から図８において説明した、補正後の信号レベル（ここでは、ＰＲＭＬ処理における予測最小値）及び波形歪みの補正動作を行う範囲（つまり、タイミング）に相当する。【００９４】
この波形歪みを補正することで得られる効果について、図９を参照しながら説明する。ここに、図９は、波形歪みの補正前後における読取信号ＲＲＦの波形等を概念的に示す波形図である。【００９５】
図９の左側に示すように、読取信号ＲＲＦに波形歪みが生じている場合には、該波形歪みを通常のマーク（例えば、ランレングスが相対的に短いマーク）と誤認識してしまいかねない。従って、読取信号ＲＲＦを２値化した後の２値化波形には、波形歪みに起因した誤信号が含まれてしまう。この結果、元の記録データとの整合性がとれずに、２値化エラーが発生してしまう。【００９６】
他方で、図９の右側に示すように、読取信号ＲＲＦに生じた波形歪みを補正した場合には、読取信号ＲＲＦを２値化した後の２値化波形には、波形歪みに起因した誤信号が含まれることはなくなる。従って、元の記録データとの整合性を取ることができ、２値化エラーは発生しない。【００９７】
以上説明したように、本実施例に係る情報再生装置１によれば、ＰＲＭＬ処理を施すことで、記録データを安定的に且つ精度よく再生することができる。【００９８】
特に、本実施例に係る情報再生装置１によれば、波形歪みを補正した後に、ＰＲＭＬ信号処理回路１５におけるＰＲＭＬ処理を施している。このため、例えばランレングスが相対的に長いマークを他のマークと誤判別してしまう不都合を好適に防止することができる。その結果、波形歪みに起因して２値化エラーが発生することは殆どなくなり、好適な再生動作を行うことができる。【００９９】
尚、上述の説明では、ゼロクロス点を用いて説明を行っている。しかしながら、ゼロレベルに代えてリファレンスレベルを用いている場合は、「ゼロクロス点」が「リファレンスクロス点」に代えられることはいうまでもない。【０１００】
（４）変形例
続いて、図１０から図１７を参照して、本実施例に係る情報再生装置１の変形例について説明を進める。【０１０１】
（４−１）第１変形例
続いて、図１０から図１２を参照して、本実施例に係る情報再生装置１の第１変形例について説明する。ここに、図１０は、第１変形例に係る情報再生装置１ａが備える波形歪み補正回路１８ａの構成を概念的に示すブロック図であり、図１１は、第1変形例に係る情報再生装置１ａが備える波形歪み補正回路１８ａが備える波形歪み検出回路１８６ａの構成を概念的に示すブロック図であり、図１２は、第１変形例に係る情報再生装置１ａの動作の流れを概念的に示すフローチャートである。【０１０２】
図４に示した動作例では、読取信号ＲＲＦが所望の再生特性を満たしていない場合には常に波形歪みを補正していた。しかしながら、第１変形例においては、読取信号ＲＲＦが所望の再生特性を満たしていない場合であっても、波形歪みが実際に検出された場合に選択的に波形歪み補正を行うように構成されている。以下、第１変形例の具体的構成及び動作例について説明する。【０１０３】
図１０に示すように、波形歪み補正回路１８ａは、遅延調整回路１８１ａと、波形歪み検出回路１８６ａと、マーク／スペース長検出回路１８３ａと、タイミング生成回路１８４ａと、セレクタ１８５ａと、ＡＮＤ回路１８７ａとを備えている。【０１０４】
プリイコライザ１４から出力される読取サンプル値系列ＲＳＣは、遅延調整回路１８１ａ、波形歪み検出回路１８６ａ及びマーク／スペース長検出回路１８３ａの夫々へ出力される。【０１０５】
遅延調整回路１８１ａは、記録データの最長ランレングスに応じた遅延量を設定し、所望のタイミングで読取サンプル値系列ＲＳＣをセレクタ１８５ａへ出力する。具体的には、光ディスク１００がＢｌｕ−ｒａｙ  Ｄｉｓｃである場合には、最長ランレングスである９Ｔに相当する遅延量を設定し、光ディスク１００がＤＶＤである場合には、最長ランレングスである１４Ｔに相当する遅延量を設定する。【０１０６】
マーク／スペース長検出回路１８３ａは、例えばゼロクロス点の間隔や、符号ビットの連続回数等を検出することで、マーク／スペース長を検出する。その検出結果は、タイミング生成回路１８４ａへ出力される。【０１０７】
タイミング生成回路１８４ａは、マーク／スペース長検出回路１８３ａにおいて検出されるマーク／スペース長に基づいて、タイミング信号ＳＷを生成し、該生成したタイミング信号をＡＮＤ回路１８７ａへ出力する。【０１０８】
具体的には、タイミング生成回路１８４ａは、(i)マーク／スペース長検出回路１８３ａにおいて検出されるマーク／スペース長が、波形歪み補正の対象となる長マークであり、且つ(ii)第１のゼロクロス点の（ｍ＋１）／２つ後ろに位置するサンプル値と、第２のゼロクロス点の（ｍ＋１）／２つ前に位置するサンプル値との間の範囲のサンプル値が入力されている期間には、ハイレベルのタイミング信号ＳＷ（ＳＷ＝１）を生成し、該生成したタイミング信号ＳＷをＡＮＤ回路１８７ａへ出力する。他方、タイミング生成回路１８４ａは、(i)マーク／スペース長検出回路１８３において検出されるマーク／スペース長が、波形歪み補正の対象となる長マーク以外のマークであるか、又は(ii) 第１のゼロクロス点の（ｍ＋１）／２つ後ろに位置するサンプル値と、第２のゼロクロス点の（ｍ＋１）／２つ前に位置するサンプル値との間の範囲以外のサンプル値が入力されている期間には、ローレベルのタイミング信号ＳＷ（ＳＷ＝０）を生成し、該生成したタイミング信号ＳＷをＡＮＤ回路１８７ａへ出力する。【０１０９】
波形歪み検出回路１８６ａは、波形歪みを検出し、且つ波形歪みを検出したことを示す波形歪み検出信号ＤＴをＡＮＤ回路１８７ａへ出力する。より具体的には、波形歪み検出回路１８６ａは、波形歪みが検出されている場合には、ハイレベルの波形歪み検出信号ＤＴ（ＤＴ＝１）をＡＮＤ回路１８７ａへ出力し、波形歪みが検出されていない場合には、ローレベルの波形歪み検出信号ＤＴ（ＤＴ＝０）をＡＮＤ回路１８７ａへ出力する。【０１１０】
ＡＮＤ回路１８７ａは、タイミング生成回路１８４ａ及び波形歪み検出回路１８６ａの夫々の出力に基づいて、波形歪みが検出された場合（つまり、タイミング生成回路１８４ａから出力されるタイミング信号ＳＷ及び波形歪み検出回路１８６ａから出力される波形歪み検出信号ＤＴの夫々がハイレベルである場合）には、ハイレベルのタイミング信号ＳＷ０を生成する。他方、ＡＮＤ回路１８７ａは、タイミング生成回路１８４ａ及び波形歪み検出回路１８６ａの夫々の出力に基づいて、波形歪みが検出されていない場合（つまり、タイミング生成回路１８４ａから出力されるタイミング信号ＳＷ及び波形歪み検出回路１８６ａから出力される波形歪み検出信号ＤＴのいずれか一方がローレベルである場合）には、ローレベルのタイミング信号ＳＷ０を生成する。つまり、第１変形例においては、波形歪みが検出されている場合に、選択的に波形歪みが補正される。【０１１１】
セレクタ１８５ａは、ハイレベルのタイミング信号ＳＷ０がＡＮＤ回路１８７ａから出力されている場合には、ＰＲＭＬ信号処理回路１５から出力される予測最小値（つまり、−Ｒｅｆ＿Ｈ）を、歪み補正読取サンプル値系列ＲＳＣＡＭとして、ＰＲＭＬ信号処理回路１５へ出力する。他方、セレクタ１８５ａは、ローレベルのタイミング信号ＳＷ０がＡＮＤ回路１８７ａから出力されている場合には、遅延調整回路１８１ａから出力される読取サンプル値系列ＲＳＣを、歪み補正読取サンプル値系列ＲＳＣＡＭとして、ＰＲＭＬ信号処理回路１５へ出力する。【０１１２】
波形歪み検出回路１８６ａは、図１１に示すように、シフトレジスタ１８３１ａと、セレクタ１８３２ａと、最大値検出回路１８３３ａと、最小値検出回路１８３４ａと、減算器１８３５ａと、判定回路１８３６ａとを備える。【０１１３】
波形歪み検出回路１８６ａに入力される読取サンプル値系列ＲＳＣは、シフトレジスタ１８３１ａに出力される。シフトレジスタ１８３１ａは、入力される読取サンプル値系列ＲＳＣを１クロックずつシフトさせながら、出力Ｄ０からＤ１４としてセレクタ１８３２ａへ出力する。【０１１４】
セレクタ１８３２ａは、マーク／スペース長検出回路１８３ａから出力されるタイミングで、出力Ｄ０からＤ１４のうちからマーク／スペース長に基づいて、３つの出力を選択的にサンプルホールドし、最大値検出回路１８３３ａ及び最小値検出回路１８３４ａの夫々に出力する。【０１１５】
より具体的には、セレクタ１８３２ａは、マーク／スペース長検出回路１８３ａから出力されるマーク／スペース長が６Ｔである場合には、出力Ｄ０からＤ１４のうちから３つの出力Ｄ２、Ｄ３及びＤ４を選択的にサンプルホールドし、最大値検出回路１８３３ａ及び最小値検出回路１８３４ａの夫々に出力する。セレクタ１８３２ａは、マーク／スペース長検出回路１８３ａから出力されるマーク／スペース長が７Ｔである場合には、出力Ｄ０からＤ１４のうちから３つの出力Ｄ２、Ｄ３及びＤ５を選択的にサンプルホールドし、最大値検出回路１８３３ａ及び最小値検出回路１８３４ａの夫々に出力する。セレクタ１８３２ａは、マーク／スペース長検出回路１８３ａから出力されるマーク／スペース長が８Ｔである場合には、出力Ｄ０からＤ１４のうちから３つの出力Ｄ２、Ｄ４及びＤ６を選択的にサンプルホールドし、最大値検出回路１８３３ａ及び最小値検出回路１８３４ａの夫々に出力する。セレクタ１８３２ａは、マーク／スペース長検出回路１８３ａから出力されるマーク／スペース長が９Ｔである場合には、出力Ｄ０からＤ１４のうちから３つの出力Ｄ２、Ｄ４及びＤ７を選択的にサンプルホールドし、最大値検出回路１８３３ａ及び最小値検出回路１８３４ａの夫々に出力する。セレクタ１８３２ａは、マーク／スペース長検出回路１８３ａから出力されるマーク／スペース長が１０Ｔである場合には、出力Ｄ０からＤ１４のうちから３つの出力Ｄ２、Ｄ５及びＤ８を選択的にサンプルホールドし、最大値検出回路１８３３ａ及び最小値検出回路１８３４ａの夫々に出力する。セレクタ１８３２ａは、マーク／スペース長検出回路１８３ａから出力されるマーク／スペース長が１１Ｔである場合には、出力Ｄ０からＤ１４のうちから３つの出力Ｄ２、Ｄ５及びＤ９を選択的にサンプルホールドし、最大値検出回路１８３３ａ及び最小値検出回路１８３４ａの夫々に出力する。セレクタ１８３２ａは、マーク／スペース長検出回路１８３ａから出力されるマーク／スペース長が１４Ｔである場合には、出力Ｄ０からＤ１４のうちから３つの出力Ｄ２、Ｄ７及びＤ１２を選択的にサンプルホールドし、最大値検出回路１８３３ａ及び最小値検出回路１８３４ａの夫々に出力する。このようなセレクタ１８３２ａの動作は、実質的には、図２（ａ）から図２（ｃ）及び図３（ａ）から図３（ｃ）に示す波形歪みの、前端部の信号レベル、中間部の信号レベル及び後端部の信号レベルを選択的に出力する動作に相当する。【０１１６】
その後、最大値検出回路１８３３ａにおいては、セレクタ１８３２ａより出力される３つの出力の最大値（つまり、最大信号レベル）が検出され、該検出された最大値が減算器１８３５ａへ出力される。【０１１７】
同様に、最小値検出回路１８３４ａにおいては、セレクタ１８３２ａより出力される３つの出力の最小値（つまり、最小信号レベル）が検出され、該検出された最小値が減算器１８３５ａへ出力される。【０１１８】
その後、減算器１８３５ａにおいて、最大値検出回路１８３３ａにおいて検出された最大値から、最小値検出回路１８３４ａにおいて検出された最小値が減算されることで、波形歪み量Ｄが算出される。【０１１９】
その後、判定回路１８３６ａにおいて、減算器１８３５ａより出力される波形歪み量が所定値ｘ以上であるか否かが判定される。波形歪み量Ｄが相対的に小さい場合には、波形歪みを検出したとはみなさず、ローレベルの波形歪み検出信号ＤＴを出力する。他方、波形歪み量Ｄが相対的に大きい場合（例えば、波形歪み率が概ね３０％以上である場合）には、波形歪みを検出したとみなして、ハイレベルの波形歪み検出信号ＤＴを出力する。【０１２０】
このときの動作の流れは、図１２に示すように、まず、光ディスク１００に記録されたデータの再生動作が行われる（ステップＳ１０１）。再生動作の際には、読取信号ＲＲＦが所望の再生特性を満たしているか否かが判定される（ステップＳ１０２）。【０１２１】
ステップＳ１０２における判定の結果、読取信号ＲＲＦが所望の再生特性を満たしていると判定された場合には（ステップＳ１０２：Ｙｅｓ）、ステップＳ１０７へ進む。【０１２２】
他方、ステップＳ１０２における判定の結果、読取信号ＲＲＦが所望の再生特性を満たしていないと判定された場合には（ステップＳ１０２：Ｎｏ）、続いて、波形歪み検出回路１８６ａにおいて波形歪みが実際に検出されているか否かが判定される（ステップＳ２０１）。【０１２３】
ステップＳ２０１における判定の結果、波形歪みが検出されていないと判定された場合には（ステップＳ２０１：Ｎｏ）、波形歪みを補正することなく（つまり、ステップＳ１０３からステップＳ１０６の動作を行うことなく）、ステップＳ１０７へ進む。【０１２４】
他方、ステップＳ２０１における判定の結果、波形歪みが検出されていると判定された場合には（ステップＳ２０１：Ｙｅｓ）、波形歪みを補正した後に（つまり、ステップＳ１０３からステップＳ１０６の動作を行った後に）、ステップＳ１０７へ進む。【０１２５】
このように、波形歪みが検出された場合に選択的に波形歪みを補正することで、情報再生装置１ａの負荷を低減させつつ、上述した各種効果を享受することができる。【０１２６】
加えて、波形歪みが実際に発生している場合に、選択的に波形歪み補正回路１８による波形歪みの補正が行われる。ここで、特に、シーケンシャル記録のみが許可されている光ディスク１００とは異なって、ランダム記録が許可されている光ディスク１００においては、様々な記録状態が混在している。この場合、波形歪みが不連続にないしは離散的に分布したり或いはしていなかったりする読取信号ＲＲＦを読み取ったり、大小様々な信号レベルを有する読取信号ＲＲＦを読み取る必要がある。従って、通常は波形歪みを補正することなく記録データを再生し、波形歪みが実際に発生している場合に選択的に波形歪みを補正しながら記録データを再生することで、情報再生装置１の負荷を低減させつつ、上述した各種効果を享受することができる。【０１２７】
（４−２）第２変形例
初めに、図１３から図１７を参照して、第２変形例に係る情報再生装置１ｂについて説明する。ここに、図１３は、第２変形例に係る情報再生装置１ｂによる波形歪みの補正動作を、第１の読取信号ＲＲＦ上で概念的に示すタイミングチャートであり、図１４は、第２変形例に係る情報再生装置１ｂによる波形歪みの補正動作を、第２の読取信号ＲＲＦ上で概念的に示すタイミングチャートであり、図１５は、第２変形例に係る情報再生装置１ｂによる第１の動作の流れを概念的に示すフローチャートであり、図１６は、第２変形例に係る情報再生装置１ｂによる第２の動作の流れを概念的に示すフローチャートであり、図１７は、第２変形例に係る情報再生装置１ｂによる第３の動作の流れを概念的に示すフローチャートである。【０１２８】
光ディスク１００に記録される記録データには、通常のユーザデータに加えて、該ユーザデータを再生する際の同期をとるために用いられる同期データ（例えば、光ディスク１００がＤＶＤであればランレングス１４Ｔの記録データであり、光ディスク１００がＢｌｕ−ｒａｙ  Ｄｉｓｃであればランレングス９Ｔの記録データ）が含まれている。第３変形例においては、このような同期データが記録データに含まれていることを考慮して、同期データに限定して波形歪みを補正するように構成されている。【０１２９】
より具体的には、図１３に示すように、光ディスクがＢｌｕ−ｒａｙ  Ｄｉｓｃである場合には、同期データは９Ｔマークと９Ｔスペースとにより構成されているため、まず、９Ｔスペースを検出し、該検出された９Ｔスペースの前又は後の波形歪みを補正するように構成してもよい。また、同期データが出現する周期性に着目して、検出された９Ｔスペースから、１９３２Ｔ（或いは、１９３２Ｔ±α１：α１は所定の定数）に相当する時間が経過した位置（或いは、該位置からβ１Ｔだけずれた位置：β１は所定の定数）付近の波形歪みを補正するように構成してもよい。【０１３０】
また、図１４に示すように、光ディスクがＤＶＤである場合には、同期データは１４Ｔマーク又は１４Ｔスペースであるため、まず、１４Ｔスペースを検出し、該検出された１４Ｔスペースから、１４８８Ｔ（或いは、１４８８Ｔ±α２：α２は定数）に相当する時間が経過した位置（或いは、該位置からβ２Ｔだけずれた位置：β２は所定の定数）付近の波形歪みを補正するように構成してもよい。【０１３１】
光ディスク１００がＢｌｕ−ｒａｙ  Ｄｉｓｃである場合の動作の流れ（第１の動作の流れ）について、図１５を参照して説明する。【０１３２】
図１５に示すように、まず、光ディスク１００に記録されたデータの再生動作が行われる（ステップＳ１０１）。【０１３３】
再生動作の際には、９Ｔスペースが検出されるか否かが判定される（ステップＳ４０１）。【０１３４】
ステップＳ４０１における判定の結果、９Ｔスペースが検出されないと判定された場合には（ステップＳ４０１：Ｎｏ）、再度ステップＳ４０１に戻り、９Ｔスペースが検出されるか否かの判定動作が繰り返される。【０１３５】
他方、ステップＳ４０１における判定の結果、９Ｔスペースが検出されたと判定された場合には（ステップＳ４０１：Ｙｅｓ）、続いて、９Ｔスペースの直前又は直後の記録データ（言い換えれば、読取信号ＲＲＦ）が９Ｔマークであるか否かが判定される（ステップＳ４０２）。【０１３６】
ステップＳ４０２における判定の結果、９Ｔスペースの直前又は直後の記録データが９Ｔマークであると判定された場合には（ステップＳ４０２：Ｙｅｓ）、そのまま動作を終了する。【０１３７】
他方、ステップＳ４０２における判定の結果、９Ｔスペースの直前又は直後の記録データが９Ｔマークでないと判定された場合には（ステップＳ４０２：Ｎｏ）、９Ｔスペースの直前若しくは直後又はその両方の位置付近の波形歪みが補正される（ステップＳ４０４）。ステップＳ４０４における波形歪みの補正については、図４におけるステップ１０３からステップＳ１０６の動作と同様に行われる。【０１３８】
続いて、光ディスク１００がＢｌｕ−ｒａｙ  Ｄｉｓｃである場合の他の動作の流れ（第２の動作の流れ）について、図１６を参照して説明する。【０１３９】
図１６に示すように、まず、光ディスク１００に記録されたデータの再生動作が行われる（ステップＳ１０１）。【０１４０】
再生動作の際には、９Ｔスペースが検出されるか否かが判定される（ステップＳ４０１）。【０１４１】
ステップＳ４０１における判定の結果、９Ｔスペースが検出されないと判定された場合には（ステップＳ４０１：Ｎｏ）、再度ステップＳ４０１に戻り、９Ｔスペースが検出されるか否かの判定動作が繰り返される。【０１４２】
他方、ステップＳ４０１における判定の結果、９Ｔスペースが検出されたと判定された場合には（ステップＳ４０１：Ｙｅｓ）、続いて、検出された９Ｔスペースから、１９３２Ｔ（或いは、１９３２Ｔ±α１）に相当する時間が経過した位置（或いは、該位置からβ１Ｔだけずれた位置）の記録データが９Ｔマークであるか否かが判定される（ステップＳ５０２）。【０１４３】
ステップＳ５０２における判定の結果、検出された９Ｔスペースから、１９３２Ｔ（或いは、１９３２Ｔ±α１）に相当する時間が経過した位置（或いは、該位置からβ１Ｔだけずれた位置）の記録データが９Ｔマークであると判定された場合には（ステップＳ４０２：Ｙｅｓ）、そのまま動作を終了する。【０１４４】
他方、ステップＳ５０２における判定の結果、検出された９Ｔスペースから、１９３２Ｔ（或いは、１９３２Ｔ±α１）に相当する時間が経過した位置（或いは、該位置からβ１Ｔだけずれた位置）の記録データが９Ｔマークでないと判定された場合には（ステップＳ５０２：Ｎｏ）、検出された９Ｔスペースから、１９３２Ｔ（或いは、１９３２Ｔ±α１）に相当する時間が経過した位置（或いは、該位置からβ１Ｔだけずれた位置）付近の波形歪みが補正される（ステップＳ４０４）。【０１４５】
続いて、光ディスク１００がＤＶＤである場合の動作の流れ（第３の動作の流れ）について、図１７を参照して説明する。【０１４６】
図１７に示すように、まず、光ディスク１００に記録されたデータの再生動作が行われる（ステップＳ１０１）。【０１４７】
再生動作の際には、１４Ｔスペースが検出されるか否かが判定される（ステップＳ６０１）。【０１４８】
ステップＳ６０１における判定の結果、１４Ｔスペースが検出されないと判定された場合には（ステップＳ６０１：Ｎｏ）、再度ステップＳ６０１に戻り、１４Ｔスペースが検出されるか否かの判定動作が繰り返される。【０１４９】
他方、ステップＳ６０１における判定の結果、１４Ｔスペースが検出されたと判定された場合には（ステップＳ６０１：Ｙｅｓ）、続いて、検出された１４Ｔスペースから、１４８８Ｔ（或いは、１４８８Ｔ±α２）に相当する時間が経過した位置（或いは、該位置からβ２Ｔだけずれた位置）の読取信号ＲＲＦが１４Ｔマークまたは１４Ｔスペースであるか否かが判定される（ステップＳ６０２）。【０１５０】
ステップＳ６０２における判定の結果、検出された１４Ｔスペースから、１４８８Ｔ（或いは、１４８８Ｔ±α２）に相当する時間が経過した位置（或いは、該位置からβ２Ｔだけずれた位置）の読取信号ＲＲＦが１４Ｔマークまたは１４Ｔスペースであると判定された場合には（ステップＳ６０２：Ｙｅｓ）、そのまま動作を終了する。【０１５１】
他方、ステップＳ６０２における判定の結果、検出された１４Ｔスペースから、１４８８Ｔ（或いは、１４８８Ｔ±α２）に相当する時間が経過した位置（或いは、該位置からβ２Ｔだけずれた位置）の読取信号ＲＲＦが１４Ｔマークまたは１４Ｔスペースでないと判定された場合には（ステップＳ６０２：Ｎｏ）、検出された１４Ｔスペースから、１４８８Ｔ（或いは、１４８８Ｔ±α２）に相当する時間が経過した位置（或いは、該位置からβ２Ｔだけずれた位置）付近の波形歪みが補正される（ステップＳ６０４）。ステップＳ６０４における波形歪みの補正については、図４におけるステップ１０３からステップＳ１０６の動作と同様に行われる。【０１５２】
このように、同期データが記録データに含まれていることを考慮しながら波形歪みを補正することで、ユーザデータよりもその重要性が高い同期データの高域強調を好適に行うことができ、その結果同期データの再生を好適に行うことができる。これにより、再生動作の安定性をより一層高めることができる。【０１５３】
（５）ＰＲ（１、２、２、１）方式におけるパスメトリック演算への影響
続いて、図６を参照して説明したＰＲ（１、２、２、１）方式において、波形歪みの補正がＰＲＭＬ処理のパスメトリック演算に与える影響について、図１８から図２０を参照して、参考までに記載する。ここに、図１８は、ＰＲ（１、２、２、１）方式における状態遷移図及び該状態遷移図を時間軸方向に展開したトレリス線図であり、図１９は、ＰＲ（１、２、２、１）方式を採用している場合において、第１のゼロクロス点の２つ後ろに位置するサンプル値と、第２のゼロクロス点の２つ前に位置するサンプル値との間の範囲に含まれるサンプル値を対象に行った波形歪みの補正動作を、サンプル値系列ＲＳＣ上で概念的に示す波形図であり、図２０は、ＰＲ（１、２、２、１）方式を採用している場合において、第１のゼロクロス点の１つ後ろに位置するサンプル値と、第２のゼロクロス点の１つ前に位置するサンプル値との間の範囲に含まれるサンプル値を対象に行った波形歪みの補正動作を、サンプル値系列ＲＳＣ上で概念的に示す波形図である。【０１５４】
尚、図１８から図２０における説明は、光ディスク１００の一具体例として、Ｂｌｕ−ｒａｙ  Ｄｉｓｃを用いた場合の例についての説明である。【０１５５】
光ディスク１００における記録データのデータパターンを、時間軸に対して連続した３ビットで表現する（つまり、ＮＲＺＩで表現する）と、（０、０、０）、（０、０、１）、（１、０、０）、（０、１、１）、（１、１、０）及び（１、１、１）の６種類のデータパターンで示される。尚。ここでは、右側のビットが、時間軸上での新しいビット（つまり、最新入力ビット）となる。図１８（ａ）の状態遷移図及び図１８（ｂ）のトレリス線図では、これら６種類のデータパターンを、次のように定義している。（０、０、０）を、Ｓ０００と定義し、（０、０、１）を、Ｓ００１と定義し、（１、０、０）を、Ｓ１００と定義し、（０、１、１）を、Ｓ０１１と定義し、（１、１、０）を、Ｓ１１０と定義し、（１、１、１）を、Ｓ１１１と定義している。ここで、Ｂｌｕ−ｒａｙ  Ｄｉｓｃにおいては、ランレングスが最も短いマーク／スペースのマーク／スペース長は２Ｔであるため、（１、０、１）や（０、１、０）というデータパターンは存在し得ない。従って、（０、０、１）というデータパターンからは（０、１、１）というデータパターンにしか遷移し得ず、また（１、１、０）というデータパターンからは、（１、０、０）というデータパターンにしか遷移し得ない。つまり、Ｓ００１はＳ０１１への状態遷移に限られ、Ｓ１１０はＳ１００への状態遷移に限られるこのため、光ディスク１００における記録データの符号の状態の状態遷移図及びトレリス線図は、夫々図１８（ａ）及び図１８（ｂ）に示すものとなる。【０１５６】
ＰＲ（１、２、２、１）方式を用いてパーシャルレスポンス等化した読取信号のサンプル値Ｓ（ｋ）と、ＰＲ（１、２、２、１）方式における理想サンプル値とのユークリッド距離をブランチメトリック（つまり、時刻ｋ毎の状態遷移の確からしさ）と称する。このブランチメトリックを一連の経路（パス）について累積したものがパスメトリックとなる。ＰＲ（１、２、２、１）方式における理想サンプル値は、図６を用いて示したように、Ｒｅｆ_Ｈ、Ｒｅｆ_Ｍ、Ｒｅｆ_Ｌ、ＺＬ、−Ｒｅｆ_Ｌ、−Ｒｅｆ_Ｍ、−Ｒｅｆ_Ｈの７値となる。【０１５７】
ここで、時刻ｋにおける状態Ｓ０００（ｋ）のパスメトリック値を、ＰＭ０００（ｋ）と定義し、時刻ｋにおける状態Ｓ００１（ｋ）のパスメトリック値を、ＰＭ００１（ｋ）と定義し、時刻ｋにおける状態Ｓ１００（ｋ）のパスメトリック値を、ＰＭ１００（ｋ）と定義し、時刻ｋにおける状態Ｓ０１１（ｋ）のパスメトリック値を、ＰＭ０１１（ｋ）と定義し、時刻ｋにおける状態Ｓ１１０（ｋ）のパスメトリック値を、ＰＭ１１０（ｋ）と定義し、時刻ｋにおける状態Ｓ１１１（ｋ）のパスメトリック値を、ＰＭ１１１（ｋ）と定義する。このとき、ＰＭ０００（ｋ）、ＰＭ００１（ｋ）、ＰＭ１００（ｋ）、ＰＭ（０１１（ｋ）、ＰＭ１１０（ｋ）及びＰＭ１１１（ｋ）の夫々は、以下のように示される。
●ＰＭ１１１（ｋ）＝ｍｉｎ（ＰＭ１１１（ｋ−１）＋（Ｓ（ｋ）−Ｒｅｆ＿Ｈ）２、ＰＭ０１１（ｋ−１）＋（Ｓ（ｋ）−Ｒｅｆ＿Ｍ）２）
●ＰＭ１１０（ｋ）＝ｍｉｎ（ＰＭ１１１（ｋ−１）＋（Ｓ（ｋ）−Ｒｅｆ＿Ｍ）２、ＰＭ０１１（ｋ−１）＋（Ｓ（ｋ）−Ｒｅｆ＿Ｌ）２）
●ＰＭ０１１（ｋ）＝ＰＭ００１（ｋ−１）＋（Ｓ（ｋ）−ＺＬ）２
●ＰＭ１００（ｋ）＝ＰＭ１１０（ｋ−１）＋（Ｓ（ｋ）−ＺＬ）２
●ＰＭ００１（ｋ）＝ｍｉｎ（ＰＭ０００（ｋ−１）＋（Ｓ（ｋ）＋Ｒｅｆ＿Ｍ）２、ＰＭ１００（ｋ−１）＋（Ｓ（ｋ）＋Ｒｅｆ＿Ｌ）２）
●ＰＭ０００（ｋ）＝ｍｉｎ（ＰＭ０００（ｋ−１）＋（Ｓ（ｋ）＋Ｒｅｆ＿Ｈ）２、ＰＭ１００（ｋ−１）＋（Ｓ（ｋ）＋Ｒｅｆ＿Ｍ）２）
但し、ここでｍｉｎ（Ａ、Ｂ）とは、Ａ≦ＢのときにＡを出力し、Ａ＞ＢのときにＢを出力する関数であるとする。  図１８（ｂ）に示すトレリス線図において、時刻ｋの状態で交わるブランチでは、パスメトリック値が小さいほうのブランチが選択される（言い換えれば、マージされる）。例えば、時刻ｋの状態Ｓ０００（ｋ）では、Ｓ１００（ｋ−１）からのブランチａと、Ｓ０００（ｋ−１）からのブランチｂとが交わっている。ここで、ブランチａのパスメトリック値ａ＿ｐｍと、ブランチｂのパスメトリック値ｂ＿ｐｍとは以下のようになる。【０１５８】
ａ＿ｐｍ＝ＰＭ０００（ｋ−１）＋（Ｓ（ｋ）＋Ｒｅｆ＿Ｈ）２
ｂ＿ｐｍ＝ＰＭ１００（ｋ−１）＋（Ｓ（ｋ）＋Ｒｅｆ＿Ｍ）２
ブランチａは、データパターン（０、０、０）の次に０が新たに入力されるときのブランチメトリックであるため、Ｓ（ｋ）と−Ｒｅｆ＿Ｈの差の二乗からパスメトリック値が算出される。ブランチａの時刻ｋ−１におけるデータパターンは、（０、０、０、０）と（１、０、０、０）との２つのデータパターンが考えられるため、時刻ｋ−１から時刻ｋまでのブランチａの経路は、図１９におけるａ１及びａ２のいずれかとなる。【０１５９】
ブランチｂは、データパターン（１、０、０）の次に０が新たに入力されるときのブランチメトリックであるため、Ｓ（ｋ）と−Ｒｅｆ＿Ｍの差の二乗からパスメトリック値が算出される。Ｂｌｕ−ｒａｙ  Ｄｉｓｃにおけるランレングスが最も短いマーク／スペースのマーク／スペース長は２Ｔであるという制約を考慮すれば、ブランチｂの時刻ｋ−１におけるデータパターンは、（１、１、０、０）である。このデータパターンに対してＰＲ（１、２、２、１）方式の演算を施すと、１×１＋１×２＋０×２＋０×１＝３となる。全ＴのセンターレベルをＺＬ（ゼロレベル）としているため、３＝ＺＬとなる。従って、時刻ｋ−１から時刻ｋまでのブランチｂの経路は、図１９においてｂとして示すように、ＺＬから始まるパスとなる。【０１６０】
図１９において、Ｓ（ｋ）は−Ｒｅｆ＿Ｍとなるのが正解のパスであり、Ｓ（ｋ＋１）からＳ（ｋ＋５）は、−Ｒｅｆ＿Ｈとなるのが正解のパスである。このため、上述したように、第１のゼロクロス点の２つ後ろのサンプル値Ｓ（ｋ＋１）から波形歪みを補正しておけば、ブランチｂのパスメトリック値（つまり、サンプル値Ｓ（ｋ）と−Ｒｅｆ＿Ｍの差を二乗した値）の方が、ブランチａのパスメトリック値（つまり、サンプル値Ｓ（ｋ）と−Ｒｅｆ＿Ｈの差を二乗した値）より小さくなるため、ブランチｂのパスが選択される確率が高くなる。【０１６１】
一方、図２０に示すように、第１のゼロクロス点の１つ後ろのサンプル値Ｓ（ｋ）から波形歪みを補正した場合、ブランチｂのパスメトリック値より、ブランチａのパスメトリック値の方が小さくなってしまうため、ブランチａのパスが選択される確率が高くなってしまう。これでは、ＰＲＭＬ処理による２値化後のマーク長が本来のマーク長よりも長くなってしまう確率が高くなるため好ましくない。従って、ＰＲＭＬ処理に悪影響を及ぼさないためには、上述したように、ＰＲＭＬ（１、２、２、１）方式を採用している場合には、第１のゼロクロス点の２つ後ろに位置するサンプル値と、第２のゼロクロス点の２つ前に位置するサンプル値との間の範囲に含まれるサンプル値を対象に波形歪みの補正動作を行うことが好ましい。【０１６２】
尚、図１８から図２０では、ＰＲ（１、２、２、１）方式における例を用いて説明したが、もちろんＰＲ（１、２、２、１）方式以外の各方式（例えば、ＰＲ（Ｃ１、Ｃ２１、Ｃ２２、・・・、Ｃ２ｋ、Ｃ１）方式）においても、同様の説明を適用することができることは言うまでもない。その結果、ＰＲ（Ｃ１、Ｃ２１、Ｃ２２、・・・、Ｃ２ｋ、Ｃ１）方式においては、ＰＲＭＬ処理に悪影響を及ぼさないために、上述したように、第１のゼロクロス点の（ｋ＋１）／２つ後ろに位置するサンプル値と、第２のゼロクロス点の（ｋ＋１）／２つ前に位置するサンプル値との間の範囲に含まれるサンプル値を対象に波形歪みの補正動作を行うことが好ましいという結論が導かれる。【０１６３】
尚、波形歪みは、一般的には、光ディスク１００の記録面上に形成されるマークの形状や長さ等のばらつきに起因して発生する。従って、例えばＤＶＤ−Ｒ／ＲＷや、ＤＶＤ＋Ｒ／ＲＷや、ＤＶＤ−ＲＡＭや、ＢＤ−Ｒ／ＲＥ等の記録型の光ディスク１００において、波形歪みが発生しやすい。しかしながら、例えばＤＶＤ−ＲＯＭや、ＢＤ−ＲＯＭ等の再生専用型の光ディスク１００においても、図２１に示すように、相対的に長いマークから構成される同期データがトラッキング方向において隣接している場合には、波形歪みが生ずる。このような再生専用型の光ディスク１００において発生する波形歪みに対しても、上述した情報再生装置１によれば、好適に補正することができることは言うまでもない。【０１６４】
本発明は、上述した実施例に限られるものではなく、請求の範囲及び明細書全体から読み取れる発明の要旨或いは思想に反しない範囲で適宜変更可能であり、そのような変更を伴う情報再生装置及び方法、並びにコンピュータプログラムもまた本発明の技術的範囲に含まれるものである。
【図１】
2008068853.tif 000003
【図２】
2008068853.tif 000004
【図３】
2008068853.tif 000005
【図４】
2008068853.tif 000006
【図５】
2008068853.tif 000007
【図６】
2008068853.tif 000008
【図７】
2008068853.tif 000009
【図８】
2008068853.tif 000010
【図９】
2008068853.tif 000011
【図１０】
2008068853.tif 000012
【図１１】
2008068853.tif 000013
【図１２】
2008068853.tif 000014
【図１３】
2008068853.tif 000015
【図１４】
2008068853.tif 000016
【図１５】
2008068853.tif 000017
【図１６】
2008068853.tif 000018
【図１７】
2008068853.tif 000019
【図１８】
2008068853.tif 000020
【図１９】
2008068853.tif 000021
【図２０】
2008068853.tif 000022
【図２１】
2008068853.tif 000023
【手続補正書】
【提出日】平成20年3月4日(2008.3.4)
【手続補正１】
【補正対象書類名】特許請求の範囲
【補正対象項目名】全文
【補正方法】変更
【補正の内容】
【特許請求の範囲】
【請求項１】
記録媒体から読み取られた読取信号のうち少なくとも長マークに対応する読取信号に生ずる波形歪みを補正する補正手段と、
前記波形歪みが補正された前記読取信号に対して、ＰＲＭＬ（Ｐａｒｔｉａｌ  Ｒｅｓｐｏｎｓｅ  Ｍａｘｉｍｕｍ  Ｌｉｋｅｌｉｈｏｏｄ）処理を施す処理手段と
を備え、
前記補正手段は、記録データに含まれるユーザデータを読み取るために用いられ且つ前記記録データに含まれる同期データに相当する前記読取信号に生ずる前記波形歪みを補正することを特徴とする情報再生装置。
【請求項２】
（削除）
【請求項３】
（削除）
【請求項４】
（削除）
【請求項５】
前記処理手段が、ＰＲ（１、２、１）方式を採用している場合、前記補正手段は、第１のリファレンスクロス点から１つ後ろに出現するサンプル値と、前記第１のリファレンスクロス点の次に位置する第２のリファレンスクロス点の１つ前に出現するサンプル値との間の信号成分を補正することにより、前記波形歪みを補正することを特徴とする請求の範囲第１項に記載の情報再生装置。
【請求項６】
前記処理手段が、ＰＲ（１、２、２、１）方式を採用している場合、前記補正手段は、第１のリファレンスクロス点から２つ後ろに出現するサンプル値と、前記第１のリファレンスクロス点の次に位置する第２のリファレンスクロス点の２つ前に出現するサンプル値との間の信号成分を補正することにより、前記波形歪みを補正することを特徴とする請求の範囲第１項に記載の情報再生装置。
【請求項７】
前記処理手段が、ＰＲ（１、２、２、２、１）方式を採用している場合、前記補正手段は、第１のリファレンスクロス点から２つ後ろに出現するサンプル値と、前記第１のリファレンスクロス点の次に位置する第２のリファレンスクロス点の２つ前に出現するサンプル値との間の信号成分を補正することにより、前記波形歪みを補正することを特徴とする請求の範囲第１項に記載の情報再生装置。
【請求項８】
前記処理手段が、ＰＲ（１、２、２、２、２、１）方式を採用している場合、前記補正手段は、第１のリファレンスクロス点から３つ後ろに出現するサンプル値と、前記第１のリファレンスクロス点の次に位置する第２のリファレンスクロス点の３つ前に出現するサンプル値との間の信号成分を補正することにより、前記波形歪みを補正することを特徴とする請求の範囲第１項に記載の情報再生装置。
【請求項９】
前記補正手段は、信号レベルが増加する方向に向かって前記波形歪みが生じている場合、前記波形歪みの信号レベルを、前記ＰＲＭＬ処理における予測最小値に補正することを特徴とする請求の範囲第１項に記載の情報再生装置。
【請求項１０】
前記補正手段は、信号レベルが減少する方向に向かって前記波形歪みが生じている場合、前記波形歪みの信号レベルを、前記ＰＲＭＬ処理における予測最大値に補正することを特徴とする請求の範囲第１項に記載の情報再生装置。
【請求項１１】
前記波形歪みを検出する検出手段を更に備え、
前記補正手段は、前記検出手段により前記波形歪みが検出された場合に、前記波形歪みを補正することを特徴とする請求の範囲第１項に記載の情報再生装置。
【請求項１２】
前記補正手段は、（ｉ）前記読取信号のエラー訂正が不能である場合、（ｉｉ）前記読取信号のエラーレートが所定の閾値以上である場合、又は（ｉｉｉ）記録データに含まれるユーザデータを読み取るために用いられ且つ前記記録データに含まれる同期データに相当する読取信号を読み取ることができない場合に、前記波形歪みを補正することを特徴とする請求の範囲第１項に記載の情報再生装置。
【請求項１３】
（削除）
【請求項１４】
前記補正手段は、前記読取信号のうち前記同期データを構成するマークと対をなすスペースの前、該スペースの後、及び該スペースを基点として前記同期データの周期性を満たす位置の少なくとも一つにおいて、前記波形歪みを補正することを特徴とする請求の範囲第１項に記載の情報再生装置。
【請求項１５】
前記長マークは、信号レベルが最大振幅となるマークであることを特徴とする請求の範囲第１項に記載の情報再生装置。
【請求項１６】
前記処理手段は、
前記読取信号に含まれる区域周波数成分を抑制できるような意図的な波形干渉を基準に、該読取信号をパーシャルレスポンス（Ｐａｒｔｉａｌ  Ｒｅｓｐｏｎｓｅ）等化する等化手段と、
前記等化手段の出力に対し、最も確からしい系列を推定する最尤（Ｍａｘｉｍｕｍ  Ｌｉｋｅｌｉｈｏｏｄ）復号手段と
を備えることを特徴とする請求の範囲第１項に記載の情報再生装置。
【請求項１７】
記録媒体から読み取られた読取信号のうち少なくとも長マークに対応する読取信号に生ずる波形歪みを補正する補正工程と、
前記波形歪みが補正された前記読取信号に対して、ＰＲＭＬ（Ｐａｒｔｉａｌ  Ｒｅｓｐｏｎｓｅ  Ｍａｘｉｍｕｍ  Ｌｉｋｅｌｉｈｏｏｄ）処理を施す処理工程と
を備え、
前記補正工程は、記録データに含まれるユーザデータを読み取るために用いられ且つ前記記録データに含まれる同期データに相当する前記読取信号に生ずる前記波形歪みを補正することを特徴とする情報再生方法。
【請求項１８】
記録媒体から読み取られた読取信号のうち少なくとも長マークに対応する読取信号に生ずる波形歪みを補正する補正手段と、前記波形歪みが補正された前記読取信号に対して、ＰＲＭＬ（Ｐａｒｔｉａｌ  Ｒｅｓｐｏｎｓｅ  Ｍａｘｉｍｕｍ  Ｌｉｋｅｌｉｈｏｏｄ）処理を施す処理手段とを備え、前記補正手段は、記録データに含まれるユーザデータを読み取るために用いられ且つ前記記録データに含まれる同期データに相当する前記読取信号に生ずる前記波形歪みを補正する情報再生装置に備えられたコンピュータを制御する再生制御用のコンピュータプログラムであって、
該コンピュータを、前記補正手段及び前記処理手段の少なくとも一部として機能させることを特徴とする再生制御用のコンピュータプログラム。
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
記録媒体から読み取られた読取信号のうち少なくとも長マークに対応する読取信号に生ずる波形歪みを補正する補正手段と、
前記波形歪みが補正された前記読取信号に対して、ＰＲＭＬ（Partial Response Maximum Likelihood）処理を施す処理手段と
を備え、
前記補正手段は、記録データに含まれるユーザデータを読み取るために用いられ且つ前記記録データに含まれる同期データに相当する前記読取信号に生ずる前記波形歪みを補正することを特徴とする情報再生装置。
【請求項２】
前記補正手段は、信号レベルが増加する方向に向かって前記波形歪みが生じている場合、前記読取信号のうち、リファレンスレベル以下の信号成分であって且つ前記ＰＲＭＬ処理におけるパスメトリック選択を誤らせない範囲の信号成分を補正することにより、前記波形歪みを補正することを特徴とする請求の範囲第１項に記載の情報再生装置。
【請求項３】
前記補正手段は、信号レベルが減少する方向に向かって前記波形歪みが生じている場合、前記読取信号のうち、リファレンスレベル以上の信号成分であって且つ前記ＰＲＭＬ処理におけるパスメトリック選択を誤らせない範囲の信号成分を補正することにより、前記波形歪みを補正することを特徴とする請求の範囲第１項に記載の情報再生装置。
【請求項４】
前記処理手段が、ＰＲ（Ｃ１、Ｃ２１、Ｃ２２、・・・、Ｃ２ｋ、Ｃ１）方式を採用している場合、前記補正手段は、第１のリファレンスクロス点から（ｋ＋１）／２つ後に出現するサンプル値と、前記第１のリファレンスクロス点の次に位置する第２のリファレンスクロス点の（ｋ＋１）／２つ前に出現するサンプル値との間の信号成分を補正することにより、前記波形歪みを補正することを特徴とする請求の範囲第１項に記載の情報再生装置。
【請求項５】
前記処理手段が、ＰＲ（１、２、１）方式を採用している場合、前記補正手段は、第１のリファレンスクロス点から１つ後ろに出現するサンプル値と、前記第１のリファレンスクロス点の次に位置する第２のリファレンスクロス点の１つ前に出現するサンプル値との間の信号成分を補正することにより、前記波形歪みを補正することを特徴とする請求の範囲第１項に記載の情報再生装置。
【請求項６】
前記処理手段が、ＰＲ（１、２、２、１）方式を採用している場合、前記補正手段は、第１のリファレンスクロス点から２つ後ろに出現するサンプル値と、前記第１のリファレンスクロス点の次に位置する第２のリファレンスクロス点の２つ前に出現するサンプル値との間の信号成分を補正することにより、前記波形歪みを補正することを特徴とする請求の範囲第１項に記載の情報再生装置。
【請求項７】
前記処理手段が、ＰＲ（１、２、２、２、１）方式を採用している場合、前記補正手段は、第１のリファレンスクロス点から２つ後ろに出現するサンプル値と、前記第１のリファレンスクロス点の次に位置する第２のリファレンスクロス点の２つ前に出現するサンプル値との間の信号成分を補正することにより、前記波形歪みを補正することを特徴とする請求の範囲第１項に記載の情報再生装置。
【請求項８】
前記処理手段が、ＰＲ（１、２、２、２、２、１）方式を採用している場合、前記補正手段は、第１のリファレンスクロス点から３つ後ろに出現するサンプル値と、前記第１のリファレンスクロス点の次に位置する第２のリファレンスクロス点の３つ前に出現するサンプル値との間の信号成分を補正することにより、前記波形歪みを補正することを特徴とする請求の範囲第１項に記載の情報再生装置。
【請求項９】
前記補正手段は、信号レベルが増加する方向に向かって前記波形歪みが生じている場合、前記波形歪みの信号レベルを、前記ＰＲＭＬ処理における予測最小値に補正することを特徴とする請求の範囲第１項に記載の情報再生装置。
【請求項１０】
前記補正手段は、信号レベルが減少する方向に向かって前記波形歪みが生じている場合、前記波形歪みの信号レベルを、前記ＰＲＭＬ処理における予測最大値に補正することを特徴とする請求の範囲第１項に記載の情報再生装置。
【請求項１１】
前記波形歪みを検出する検出手段を更に備え、
前記補正手段は、前記検出手段により前記波形歪みが検出された場合に、前記波形歪みを補正することを特徴とする請求の範囲第１項に記載の情報再生装置。
【請求項１２】
前記補正手段は、(i)前記読取信号のエラー訂正が不能である場合、(ii)前記読取信号のエラーレートが所定の閾値以上である場合、又は(iii)記録データに含まれるユーザデータを読み取るために用いられ且つ前記記録データに含まれる同期データに相当する読取信号を読み取ることができない場合に、前記波形歪みを補正することを特徴とする請求の範囲第１項に記載の情報再生装置。
【請求項１３】
前記補正手段は、前記読取信号のうち前記同期データを構成するマークと対をなすスペースの前、該スペースの後、及び該スペースを基点として前記同期データの周期性を満たす位置の少なくとも一つにおいて、前記波形歪みを補正することを特徴とする請求の範囲第１項に記載の情報再生装置。
【請求項１４】
前記長マークは、信号レベルが最大振幅となるマークであることを特徴とする請求の範囲第１項に記載の情報再生装置。
【請求項１５】
前記処理手段は、
前記読取信号に含まれる区域周波数成分を抑制できるような意図的な波形干渉を基準に、該読取信号をパーシャルレスポンス（Partial Response）等化する等化手段と、
前記等化手段の出力に対し、最も確からしい系列を推定する最尤（Maximum Likelihood）復号手段と
を備えることを特徴とする請求の範囲第１項に記載の情報再生装置。
【請求項１６】
記録媒体から読み取られた読取信号のうち少なくとも長マークに対応する読取信号に生ずる波形歪みを補正する補正工程と、
前記波形歪みが補正された前記読取信号に対して、ＰＲＭＬ（Partial Response Maximum Likelihood）処理を施す処理工程と
を備え、
前記補正工程は、記録データに含まれるユーザデータを読み取るために用いられ且つ前記記録データに含まれる同期データに相当する前記読取信号に生ずる前記波形歪みを補正することを特徴とする情報再生方法。
【請求項１７】
記録媒体から読み取られた読取信号のうち少なくとも長マークに対応する読取信号に生ずる波形歪みを補正する補正手段と、前記波形歪みが補正された前記読取信号に対して、ＰＲＭＬ（Partial Response Maximum Likelihood）処理を施す処理手段とを備え、前記補正手段は、記録データに含まれるユーザデータを読み取るために用いられ且つ前記記録データに含まれる同期データに相当する前記読取信号に生ずる前記波形歪みを補正する情報再生装置に備えられたコンピュータを制御する再生制御用のコンピュータプログラムであって、
該コンピュータを、前記補正手段及び前記処理手段の少なくとも一部として機能させることを特徴とする再生制御用のコンピュータプログラム。
【国際調査報告】
2008068853.tif 000024
2008068853.tif 000025
2008068853.tif 000026
2008068853.tif 000027